(57)【特許請求の範囲】
【請求項１】
監視カメラを有する被監視サイトと、前記監視カメラで撮影された映像を送信画像として保管する管理サーバと、前記送信画像を表示可能な端末装置を有する監視サイトとを備えた映像監視システムであって、
前記管理サーバは、
前記送信画像を一時的に保管する一時画像格納エリアと、
前記送信画像が異常時の画像であることを検知する異常検知部と、
前記異常検知部が前記異常時の画像を検知した時刻に基づいて、当該検知した時刻の予め定められた時間前の時刻から、当該検知した時刻の予め定められた時間後の時刻までの間を画像検出時間帯として求める異常画像検出部と、
制御装置と、
データベースと、を有し、
前記制御装置は、
前記送信画像を受信すると、前記一時画像格納エリアに保管する処理、
前記送信画像が前記一時画像格納エリアに保管されると、前記送信画像が異常時の画像であることを前記異常検知部が検知したか判断する処理、
前記送信画像が前記異常検知部における異常検知がなされない正常画像であると判断されたとき、前記一時画像格納エリアに保管された前記送信画像をリアルタイム画像として前記監視サイトの前記端末装置に送信可能とするとともに、前記一時画像格納エリアに保管された前記送信画像を所定の保管時間であって、前記画像検出時間帯で定まる期間より長い保管時間の経過時に消去する処理、および、
前記送信画像が前記異常検知部で異常時の画像と判断されたとき、前記異常画像検出部に前記画像検出時間帯を求めさせ、求めさせた前記画像検出時間帯に該当する前記送信画像を前記一時画像格納エリアから異常時画像を含む画像として抽出し、当該異常時画像を含む画像を前記監視サイトの前記端末装置に送信可能とするとともに、抽出した前記異常時画像を含む前記データベースに格納する処理を行い、
前記データベースは、前記制御装置によって抽出処理された前記異常時画像を含む画像を格納する異常時画像格納エリアを有し、
前記制御装置は、抽出した前記異常時画像を含む画像を、前記異常時画像格納エリアに格納することを特徴とする映像監視システム。
【請求項２】
請求項１に記載の映像監視システムにおいて、
前記管理サーバの前記データベースは、前記画像検出時間帯内の時刻である前記異常検知部が前記異常時の画像を検知した時刻を含む発報情報を格納する発報リスト格納エリアを有することを特徴とする映像監視システム。
【請求項３】
請求項２に記載の映像監視システムにおいて、
前記管理サーバの前記データベースは、前記被監視サイトの前記監視カメラで撮影された正常時の映像を、予め標準画像として格納する標準画像格納エリアをさらに有し、
前記発報情報は、さらに異常からの復帰時刻を含み、
前記制御装置は、前記異常からの復帰時刻を、前記送信画像と前記標準画像とを対比することにより特定することを特徴とする映像監視システム。
【請求項４】
請求項３に記載の映像監視システムにおいて、
前記制御装置は、前記監視サイトの前記端末装置からの送信要求に応じて、前記リアルタイム画像、前記標準画像、前記異常時画像を含む画像、および前記発報情報を、要求元の前記端末装置に送信し、
前記監視サイトの前記端末装置の表示画面は、
前記一時画像格納エリアに格納された画像をリアルタイム画像として表示するリアルタイム画像表示領域と、
前記標準画像格納エリアに格納された前記標準画像を表示する標準画像表示領域と、
前記異常時画像格納エリアに格納された前記異常時画像を含む画像を表示する異常時画像表示領域と、
前記発報リスト格納エリアに格納された前記発報情報を表示する発報リスト表示領域と、を有することを特徴とする映像監視システム。
【発明の詳細な説明】
【技術分野】
【０００１】
本発明は、監視カメラで撮影した映像に基づいて被監視サイトで発生する異常状況を監視する映像監視システムに関する。
【背景技術】
【０００２】
この種の従来技術が特許文献１，２に開示されている。特許文献１には、監視サイトの端末装置の監視画面が、被監視サイトのセンサーが異常を検出したときの監視カメラが撮影した静止画を表示する静止画表示エリアと、異常発生前後の動画を表示する動画表示エリアとを有する構成が開示されている。この特許文献１に開示された従来技術は、端末装置の監視画面の静止画表示エリアに表示された静止画と、動画表示エリアに表示された動画とを対比することにより、被監視サイトの異常状況を把握することができる。
【０００３】
特許文献２には、監視カメラで撮影された現在の映像と、記録装置に記録された映像のうち現在の時刻よりも１分前の監視カメラで撮影された過去の映像とを、同一画面に表示させる表示装置を備えた構成が開示されている。この特許文献２に開示された従来技術は、表示装置の現在の映像と、１分前の過去の映像とを対比することにより、監視カメラで撮影された異常状況を把握することができる。
【先行技術文献】
【特許文献】
【０００４】
【特許文献１】特開２０１３−１４８９７３号公報
【特許文献２】特開２０１５−３２９９５号公報
【発明の概要】
【発明が解決しようとする課題】
【０００５】
特許文献１，２に開示された従来技術にあっては、全ての映像データをデータベースに格納する処理が行われている。したがって、データベースは、多量の映像データの格納を可能にする容量が大きなものであることが必要になる。このために従来技術にあっては、映像監視システムの製作費用が高くなると共に、異常状況の確認時におけるデータベースに格納された映像、すなわち画像の検索速度が遅くなりがちであった。
【０００６】
上記課題を解決するために、本発明の目的は、異常状況を確実に把握できると共に、データベースに格納される画像の格納量を抑制することができる映像監視システムを提供することにある。
【課題を解決するための手段】
【０００７】
上記課題を解決するために、本発明に係る映像監視システムは、監視カメラを有する被監視サイトと、前記監視カメラで撮影された映像を送信画像として保管する管理サーバと、前記送信画像を表示可能な端末装置を有する監視サイトとを備えた映像監視システムであって、前記管理サーバは、前記送信画像を一時的に保管する一時画像格納エリアと、前記送信画像が異常時の画像であることを検知する異常検知部と、前記異常検知部が前記異常時の画像を検知した時刻に基づいて、当該検知した時刻の予め定められた時間前の時刻から、当該検知した時刻の予め定められた時間後の時刻までの間を画像検出時間帯として求める異常画像検出部と、制御装置と、データベースと、を有し、前記制御装置は、前記送信画像を受信すると、前記一時画像格納エリアに保管する処理、前記送信画像が前記一時画像格納エリアに保管されると、前記送信画像が異常時の画像であることを前記異常検知部が検知したか判断する処理、前記送信画像が前記異常検知部における異常検知がなされない正常画像であると判断されたとき、前記一時画像格納エリアに保管された前記送信画像をリアルタイム画像として前記監視サイトの前記端末装置に送信可能とするとともに、前記一時画像格納エリアに保管された前記送信画像を所定の保管時間であって、前記画像検出時間帯で定まる期間より長い保管時間の経過時に消去する処理、および、前記送信画像が前記異常検知部で異常時の画像と判断されたとき、前記異常画像検出部に前記画像検出時間帯を求めさせ、求めさせた前記画像検出時間帯に該当する前記送信画像を前記一時画像格納エリアから異常時画像を含む画像として抽出し、当該異常時画像を含む画像を前記監視サイトの前記端末装置に送信可能とするとともに、抽出した前記異常時画像を含む前記データベースに格納する処理を行い、前記データベースは、前記制御装置によって抽出処理された前記異常時画像を含む画像を格納する異常時画像格納エリアを有し、前記制御装置は、抽出した前記異常時画像を含む画像を、前記異常時画像格納エリアに格納することを特徴としている。
【発明の効果】
【０００８】
本発明に係る映像監視システムによれば、異常状況を確実に把握できると共に、データベースに格納される画像の格納量を抑制することができ、従来に比べて容量の小さいデータベースを設けることができる。これにより本発明は、当該映像監視システムの製作費用を従来よりも節減させることができる。また本発明は、データベースにおける格納量を抑制できることから異常状況に関係する画像の検索速度を従来よりも速くすることができる。
【図面の簡単な説明】
【０００９】
【図１】本発明に係る映像監視システムの一実施形態の構成を示す図である。
【図２】本実施形態に備えられる監視サイトの端末装置の画面に設定された表示領域を示す図である。
【図３】本実施形態の処理手順を示すフローチャートである。
【発明を実施するための形態】
【００１０】
以下、本発明に係る映像監視システムの実施の形態を図面に基づいて説明する。
【００１１】
図１に示すように、本実施形態に係る映像監視システムは、被監視サイトを構成するビル１〜１ｎと、管理サーバ６と、監視サイト１３〜１３ｎとが、通信回線すなわちネットワーク回線２で接続されている。
【００１２】
ビル１〜１ｎ内には、防犯のために、あるいは機器の故障等を検出するために、監視対象箇所、あるいは監視対象機器等を監視する監視カメラ４を配置してある。また、ビル１〜１ｎ内には、監視カメラ４で撮影された映像を記録する記録装置５と、この記録装置５に記録された画像をネットワーク回線２を介して管理サーバ６に送信する通信装置３とを配置してある。
【００１３】
監視サイト１３〜１３ｎには、管理サーバ６の画像格納エリアに格納された画像を表示可能な端末装置１４を配置してある。
【００１４】
管理サーバ６は、ネットワーク回線２を介して送信される画像、すなわち送信画像を受信するとともに、管理サーバ６の画像格納エリアに格納された画像を監視サイト１３〜１３ｎの端末装置１４に送信する通信装置７を有する。
【００１５】
また、管理サーバ６は、ネットワーク回線２を介して送信された送信画像を一時的に保管する一時画像格納エリア１１と、送信画像が監視カメラ４で撮影された異常時の画像であることを検知する異常検知部９とを有する。この異常検知部９は、ビル１〜１ｎに配置された監視対象機器に関連させて設けたセンサの異常発生時の信号を検知する手段とか、予め定められた画像の領域で、予め定められた画像の偏差を生じたことを検知する手段等によって構成される。
【００１６】
また、管理サーバ６は、異常状況の把握が可能な所定の抽出時間に基づいて、例えば異常検知部で異常が検知されたときの５秒前から、異常が検知されたときの５秒後までの時間、すなわち１０秒間に基づいて、一時画像格納エリア１１に格納された画像に対し記録されている画像検出時間（例えば、２３時１０分４０秒〜２３時１０分５０秒等）を算出する異常画像検出部１０を有する。
【００１７】
また、管理サーバ６は、通信装置７、異常検知部９、異常画像検出部１０、一時画像格納エリア１１、及びデータベース１２に接続されて、各種の制御処理を行う制御装置８を有する。
【００１８】
この制御装置８は、一時画像格納エリア１１に保管された画像をリアルタイム画像として監視サイト１３の端末装置１４に送信可能とする処理と、一時画像格納エリア１１に保管されていた画像を、所定の保管時間の経過時に、例えば５分間経過時に消去する処理を行う。
【００１９】
また、制御装置８は、異常検知部９で異常時の画像が検知されたとき、異常画像検出部１０によって前述した画像検出時間を算出させ、算出させた画像検出時間に該当する異常時画像を含む１０秒間の画像を一時画像格納エリア１１から抽出し、この異常時画像を含む画像を監視サイト１３〜１３ｎの端末装置１４に送信可能とする処理を行う。
【００２０】
また、管理サーバ６のデータベース１２は、ビル１〜１ｎの名称や、ビル１〜１ｎが設置されたエリアの名称などを格納する現地情報格納エリア１２ａと、ビル１〜１ｎを特定するためのＩＰ（インターネットプロトコル）アドレスを格納するＩＰアドレス格納エリア１２ｂとを有する。
【００２１】
また、データベース１２は、監視カメラ４で撮影された正常時の画像を、予め標準画像として格納する標準画像格納エリア１２ｃを有する。
【００２２】
また、データベース１２は、制御装置８によって抽出処理された前述の異常時画像を含む１０秒間の画像を格納する異常時画像格納エリア１２ｄを有する。
【００２３】
さらに、データベース１２は、異常検知部９で検知された異常時の画像検出時間内の時刻である異常状況発生時刻、及び異常が解消されて正常に復帰したときの復帰時刻を含む発報情報を格納する発報リスト格納エリア１２ｅを有する。なお、異常が解消されて正常に復帰したかどうかは、制御装置８において、通信装置７で受信した送信画像を標準画像と対比して判断される。
【００２４】
図２に示すように、監視サイト１３の端末装置１４の表示画面は、正常時、及び異常発生時に表示されるリアルタイム画像表示領域１４ａ、及び標準画像表示領域１４ｃと、異常発生時のみに表示される異常時画像表示領域１４ｂ、及び発報リスト表示領域１４ｄとを有する。
【００２５】
リアルタイム画像表示領域１４ａは、管理サーバ６の一時画像格納エリア１１に格納された画像をリアルタイム画像として表示する。
【００２６】
標準画像表示領域１４ｃは、データベース１２の標準画像格納エリア１２ｃに格納された標準画像を表示する。
【００２７】
異常時画像表示領域１４ｂは、データベース１２の異常時画像格納エリア１２ｄに格納された異常時画像を含む１０秒間の画像を表示する。
【００２８】
発報リスト表示領域１４ｄは、データベース１２の発報リスト格納エリア１２ｅに格納された異常状況の発生時刻を含む発報情報を表示する。
【００２９】
次に、図３に基づいて、前述のように構成した本実施形態における処理手順について説明する。
【００３０】
被監視サイトを構成するビル１〜１ｎでは、監視カメラ４で撮影された映像が記録装置５に保存される（ステップＳＡ１）。
【００３１】
記録装置５に保存された画像は、通信装置３を経て、ネットワーク回線２を介して、管理サーバ６に送信される（ステップＳＡ２）。
【００３２】
管理サーバ６では、通信装置３からの送信画像が制御装置８の処理により、一時画像格納エリア１１に保管される（ステップＳＢ１）。
【００３３】
制御装置８は、異常検知部９の検知動作に基づいて、送信画像が異常画像かどうか判断する（ステップＳＢ２）。
【００３４】
送信画像が異常検知部９における異常検知がなされない正常画像であると判断されたときは（ステップＳＢ２でノー）、ステップＳＢ１に戻る。このとき、制御装置８は、一時画像格納エリア１１に保管された画像をリアルタイム画像として監視サイト１３の端末装置１４に送信可能とする処理と、一時画像格納エリア１１に保管されている画像を所定の保管時間の経過時に、すなわち５分間の経過時に消去する処理を行う。
【００３５】
また、制御装置８は、データベース１２の標準画像格納エリア１２ｃに格納されていた標準画像を、監視サイト１３の端末装置１４に送信可能とする処理を行う。
【００３６】
したがって、監視サイト１３の端末装置１４からリアルタイム画像、及び標準画像の表示を要求する信号がネットワーク回線２を介して管理サーバ６に出力されると、制御装置８は、一時画像格納エリア１１に保管している画像をリアルタイム画像として、また、データベース１２の標準画像格納エリア１２ｃに保存している標準画像を、監視サイト１３の端末装置１４に送信する処理を行う。
【００３７】
これにより、端末装置１４の表示画面のリアルタイム画像表示領域１４ａに、監視カメラ４で撮影されたリアルタイム画像が表示され、また端末装置１４の表示画面の標準画像表示領域１４ｃに、正常時の画像である標準画像が表示される。
【００３８】
また、前述したステップＳＢ２で送信画像が異常検知部９によって異常時画像と判断されると（ステップＳＢ２でイエス）、制御装置８は異常画像検出部１０を起動する。これにより異常画像検出部１０は、異常時画像に対し記録されている時刻、すなわち異常発生時刻を含めて前後５秒間、すなわち１０秒間の時間に基づいて画像検出時間を算出する（ステップＳＢ３）。
【００３９】
制御装置８は、ステップＳＢ３で算出した画像検出時間に基づいて一時画像格納エリア１１に保存している画像から異常時画像を含む１０秒間の画像を抽出し（ステップＳＢ４）、抽出した異常時画像を含む１０秒間の画像をデータベース１２の異常時画像格納エリア１２ｄに格納する（ステップＳＢ５）。また、このとき制御装置８は異常時画像に対し記録されている時刻、すなわち異常発生時刻を発報リスト格納エリア１２ｅに格納する。
【００４０】
したがって、監視サイト１３の端末装置１４から、異常時画像、及び異常発生時刻の表示を要求する信号が、ネットワーク回線２を介して管理サーバ６に出力されると、制御装置８は、データベース１２の異常時画像格納エリア１２ｄに格納されている異常時画像を含む１０秒間の画像と、発報リスト格納エリア１２ｅに格納されている異常発生時刻を、監視サイト１３の端末装置１４に送信する処理を行う。
【００４１】
これにより端末装置１４の表示画面の異常時画像表示領域に異常時画像を含む１０秒間の画像が表示され、また、発報リスト表示領域１４ｄに異常発生時刻が表示される。
【００４２】
この端末装置１４の表示画面の異常時画像表示領域１４ｂの異常時画像を含む１０秒間の画像と、標準画像表示領域１４ｃの標準画像とを対比することにより、発報リスト表示領域１４ｄに表示された異常発生時刻に、異常状況が発生したことを監視サイト１３で把握することができる。
【００４３】
このように構成した本実施形態によれば、管理サーバ６のデータベース１２に格納される画像は、主に異常時画像格納エリア１２ｄに格納される異常時画像を含む１０秒間の画像である。また、データベース１２とは別に設けられ、リアルタイム画像の送信を可能とする一時画像格納エリア１１にあっては、所定の保管時間経過時に、すなわち５分間経過時に、該当する画像が消去される。したがって本実施形態は、異常状況を確実に把握できると共に、データベース１２に格納される画像の格納量を抑えることができ、容量の小さいデータベース１２を設けることができる。これにより本実施形態は、当該映像監視システムの製作費を節減させることができる。また本実施形態は、データベース１２における格納量を抑制できるので異常状況に関係する画像の検索速度を速くすることができる。
【符号の説明】
【００４４】
１〜１ｎ・・ビル（被監視サイト）、２・・ネットワーク回線（通信回線）、３・・通信装置、４・・監視カメラ、５・・記録装置、６・・管理サーバ、７・・通信装置、８・・制御装置、９・・異常検知部、１０・・異常画像検出部、１１・・一時画像格納エリア、１２・・データベース、１２ａ・・現地情報格納エリア、１２ｂ・・ＩＰアドレス格納エリア、１２ｃ・・標準画像格納エリア、１２ｄ・・異常時画像格納エリア、１３〜１３ｎ・・監視サイト、１４・・端末装置、１４ａ・・リアルタイム画像表示領域、１４ｂ・・異常時画像表示領域、１４ｃ・・標準画像表示領域、１４ｄ・・発報リスト表示領域
【図１】
0006644372.tif 000002
【図２】
0006644372.tif 000003
【図３】
0006644372.tif 000004